(57)【要約】【課題】比較的簡単な構成で、かつ、台所家具の背板にあまり大きな開口を穿設する必要なく、ガス器具用のガス栓を台所家具の背板に簡単かつ強固に取付けることが可能なシステムキッチンのガス栓取付け工法。【解決手段】システムキッチンの台所家具の背板Ｄにガス栓を取付ける工法で、背板Ｄの裏側に配置の板状のバックプレート２が、周囲に突出部を有して一直線上に配置された複数のねじ孔５を備え、表側の固定プレート３が、複数の貫通孔８とガス栓用取付け部１０を備え、バックプレート２を保持部材４により保持して背板Ｄのスリット状の開口Ｏから裏側へ挿入し、引き寄せて突出部を開口Ｏに嵌入し、表側に配置の固定プレート３の貫通孔８にねじ部材１１を通してバックプレート２のねじ孔５に螺合して、両プレート２，３により背板Ｄを挟持し、固定プレート３のガス栓用取付け部１０にガス栓を取付ける。【選択図】図４
2008202914.tif 000002
【特許請求の範囲】
【請求項１】
ビルトインタイプのガス器具を備えたシステムキッチンの台所家具において、その台所家具における収納空間の背板の表側に前記ガス器具用のガス栓を取付けるシステムキッチンのガス栓取付け工法であって、
前記台所家具の背板の裏側に配置される板状のバックプレートが、周囲に突出部を有してほぼ一直線上に配置された複数のねじ孔を備え、前記背板の表側に配置される固定プレートが、前記ねじ孔に対応する複数の貫通孔と前記ガス栓を取付けるガス栓用取付け部を備えていて、
前記台所家具の背板に横方向に長いスリット状の開口を穿設し、前記バックプレートを保持部材により保持して前記開口から背板の裏側へ挿入した後、前記保持部材によりバックプレートを背板側に引き寄せて前記突出部を背板の開口に嵌入し、前記固定プレートを背板の表側に配置し、その固定プレートの貫通孔にねじ部材を通して前記バックプレートのねじ孔に螺合して、前記バックプレートと固定プレートにより前記背板を挟持する状態で背板に取付け、その後、前記固定プレートのガス栓用取付け部にガス栓を取付けるシステムキッチンのガス栓取付け工法。
【請求項２】
前記保持部材が、可撓性の紐状体であって、その紐状体を前記バックプレートに設けられた保持孔に挿通することにより前記バックプレートを保持する請求項１に記載のシステムキッチンのガス栓取付け工法。
【発明の詳細な説明】
【技術分野】
【０００１】
本発明は、ビルトインタイプのガス器具を備えたシステムキッチンの台所家具において、その台所家具における収納空間の背板の表側に前記ガス器具用のガス栓を取付けるシステムキッチンのガス栓取付け工法に関する。
【背景技術】
【０００２】
このようなシステムキッチンの台所家具では、通常、ガスコンロなどのガス器具が台所家具の上部にビルトインされて配置され、ガス器具の下方に収納空間が配置されている。
そして、従来では、ビルトインされたガス器具用のガス栓が、収納空間のうち比較的入口に近い箇所でガス器具から下方へ垂下されてガス器具により保持されていた。
したがって、このような従来の構造では、収納空間の入口近くに垂下するガス栓が邪魔になって、折角の収納空間を十分に利用することができないという問題があった。
【０００３】
かかる問題点を解消するには、台所家具における収納空間の背板の表側にガス器具用のガス栓を直接取付けることが考えられる。
しかし、台所家具の背板は、一般に、ベニヤ板などの比較的軟弱な材料で構成されているため、その背板にボルトやビスなどによってガス器具用のガス栓を直接取付けることは困難である。
その上、台所家具の背板は、通常、台所の壁などに隣接して配置され、背板の裏側に手を差し入れることができないため、背板へのガス栓の取付けに困難性を伴い、従来より台所家具の背板に収納空間側からガス器具用のガス栓を簡単かつ強固に取付けることが可能なガス栓取付け工法の開発が望まれていた。
【０００４】
このような要求を満たす工法の一例として、例えば、石膏ボード製の壁に対して手摺を取付ける工法が知られている。
具体的には、石膏ボート製の壁の裏側に半円弧状の一対の板状半体からなる当て板を配置し、壁の表側に筒部を有する環状のゲージ板および環状の挟圧板を配置してボルトにより締付け、それらの板材によって壁を挟持して取付けた後、挟圧板に手摺を取付ける工法が知られている（例えば、特許文献１参照）。
【０００５】
【特許文献１】特許第３５３２５９６号公報
【発明の開示】
【発明が解決しようとする課題】
【０００６】
しかし、上記公報に記載の工法では、当て板、ゲージ板、および、挟圧板が必要となり、部品点数が多くなるばかりか、当て板に関しては、半円弧状の一対の板状半体により構成され、しかも、その一対の板状半体が、折り畳み自在に軸支され、かつ、バネにより開方向に付勢される構成であり、当て板の構造がかなり複雑になるという欠点がある。
それに加えて、石膏ボード製の壁には、当て板を構成する一対の板状半体を折り畳んで壁の裏側へ挿入するためのかなり大きな円形の開口を穿設する必要があり、壁の強度低下を招くおそれもある。
【０００７】
本発明は、このような従来の問題点に着目したもので、その目的は、比較的簡単な構成で、かつ、台所家具の背板にあまり大きな開口を穿設する必要なく、ガス器具用のガス栓を台所家具の背板に簡単かつ強固に取付けることが可能なシステムキッチンのガス栓取付け工法を提供することにある。
【課題を解決するための手段】
【０００８】
本発明の第１の特徴構成は、ビルトインタイプのガス器具を備えたシステムキッチンの台所家具において、その台所家具における収納空間の背板の表側に前記ガス器具用のガス栓を取付けるシステムキッチンのガス栓取付け工法であって、前記台所家具の背板の裏側に配置される板状のバックプレートが、周囲に突出部を有してほぼ一直線上に配置された複数のねじ孔を備え、前記背板の表側に配置される固定プレートが、前記ねじ孔に対応する複数の貫通孔と前記ガス栓を取付けるガス栓用取付け部を備えていて、前記台所家具の背板に横方向に長いスリット状の開口を穿設し、前記バックプレートを保持部材により保持して前記開口から背板の裏側へ挿入した後、前記保持部材によりバックプレートを背板側に引き寄せて前記突出部を背板の開口に嵌入し、前記固定プレートを背板の表側に配置し、その固定プレートの貫通孔にねじ部材を通して前記バックプレートのねじ孔に螺合して、前記バックプレートと固定プレートにより前記背板を挟持する状態で背板に取付け、その後、前記固定プレートのガス栓用取付け部にガス栓を取付けるところにある。
【０００９】
本発明の第１の特徴構成によれば、台所家具の背板の裏側に配置されるバックプレートが板状であるため、台所家具の背板には、板状のバックプレートを挿通させるだけの横方向に長いスリット状の開口を穿設するだけでよく、開口の穿設による背板の強度低下が抑制される。
そして、バックプレートを保持部材により保持してスリット状の開口から背板の裏側へ挿入した後、保持部材によりバックプレートを背板側に引き寄せることによって、バックプレートに備えられた複数のねじ孔周囲の突出部がスリット状の開口に嵌入するので、背板に対するバックプレートの姿勢が所定どおりに維持される。
さらに、固定プレートを背板の表側に配置し、固定プレートの貫通孔にねじ部材を通してバックプレートのねじ孔に螺合することによって、バックプレートと固定プレートにより背板を挟持するので、バックプレートと固定プレートは、台所家具の背板に強固に取付けられ、その後、固定プレートのガス栓用取付け部にガス栓を取付けることで、最終的に、台所家具にビルトインされたガス器具用のガス栓を簡単かつ強固に取付けることができる。
【００１０】
本発明の第２の特徴構成は、前記保持部材が、可撓性の紐状体であって、その紐状体を前記バックプレートに設けられた保持孔に挿通することにより前記バックプレートを保持するところにある。
【００１１】
本発明の第２の特徴構成によれば、バックプレートを保持する保持部材が、可撓性の紐状体であるから、例えば、針金や普通の紐などを使用することができ、さらに、その紐状体をバックプレートに設けられた保持孔に挿通して保持するので、針金や普通の紐などによってバックプレートを確実に保持して背板側に引き寄せることができる。
【発明を実施するための最良の形態】
【００１２】
本発明によるシステムキッチンのガス栓取付け工法につき、その実施の形態を図面に基づいて説明する。
システムキッチンの台所家具Ａは、図１に示すように、その上方にビルトインタイプのガス器具、例えば、ガスコンロＢを備え、ガスコンロＢの下方には、台所用品などを収納する収納空間Ｃを備えていて、その収納空間Ｃを形成する台所家具Ａの背板ＤにガスコンロＢ用のガス栓１が取付けられている。
このガス栓１の取付けには、背板Ｄの裏側に配置される板状のバックプレート２、背板Ｄの表側に配置される固定プレート３、および、バックプレート２を保持する保持部材としての可撓性の紐状体４などが使用される。
【００１３】
バックプレート２は、図２や図３などに示すように、例えば、金属製の板材によりほぼ長方形に形成されて、その長辺側に補強用の折曲部２ａが設けられ、上下方向の中央には、横方向にほぼ一直線上に配置された複数、この実施形態では、２つのねじ孔５が設けられ、各ねじ孔５の周囲には、図５に詳しく示すように、背板Ｄ側へ突出する突出部６が設けられている。さらに、２つのねじ孔５の間には、紐状体４を挿通するための２つの保持孔７が、２つのねじ孔５とほぼ一直線になるように穿設されている。
固定プレート３も、図３や図４などに示すように、例えば、金属製の板材により形成され、上下の辺側に断面Ｌ字状の折曲部３ａが設けられ、上下方向の中央には、バックプレート２のねじ孔５に対応して、横方向にほぼ一直線上に配置された２つの貫通孔８が設けられ、２つの貫通孔８の中間には、紐状体４を挿通するための保持孔９がひとつ設けられ、２つの貫通孔８の左右両側の上下には、ガス栓用取付け部としての合計４つのねじ孔１０が設けられている。
【００１４】
つぎに、上述したバックプレート２や固定プレート３などを使用して、ガス栓１を台所家具Ａの背板Ｄに取付ける手順について説明する。ただし、以下の手順は単なる一例であり、したがって、実際の施工に際しては、手順の一部が相前後することもあり得る。
まず、図２に示すように、台所家具Ａの背板Ｄに横方向に長いスリット状の開口Ｏを穿設する。その開口Ｏの大きさは、バックプレート２がほぼ水平姿勢または斜め姿勢で挿通でき、かつ、ねじ孔５の周囲の突出部６が嵌入できる程度の上下幅を有し、バックプレート２の短辺長さよりも多少長い程度の横方向長さを有するが好ましいが、それ以上の大きさであってもよい。
なお、開口Ｏの穿設は、例えば、電動ドリルなどで孔をあけ、その孔に切削具を挿入して穿設するのであり、台所家具Ａを所定の箇所に設置した後に穿設しても、設置の前に予め穿設してもよい。
【００１５】
つぎに、バックプレート２の一方の保持孔７に対し、突出部６のある側から保持部材としての可撓性の紐状体、例えば、針金４を挿通し、バックプレート２の裏側で湾曲させて他方の保持孔７にも挿通する。
このようにして、針金４によりバックプレート２を保持した状態で、バックプレート２をほぼ水平姿勢または斜め姿勢にして、スリット状の開口Ｏから背板Ｄの裏側へ挿入し、その後、針金４を手前に引っ張って、図３に示すように、バックプレート２を背板Ｄ側に引き寄せる。
すると、ねじ孔５の周囲の突出部６が背板Ｄ側へ突出し、かつ、針金４を挿通した２つの保持孔７と２つのねじ孔５とがほぼ一直線上に配置されているので、図５に示すように、突出部６が開口Ｏに嵌入して、バックプレート２が所定の姿勢に維持される。
【００１６】
その後、針金４を固定プレート３の保持孔９に挿通し、図４に示すように、固定プレート３を背板Ｄの表側から背板Ｄに押し付けながら、固定プレート３の貫通孔８にボルトやビスなどのねじ部材１１を挿通してバックプレート２のねじ孔５に螺合する。
このようにして、合計４本のねじ部材１１をバックプレート２のねじ孔５に螺合することによって、バックプレート２と固定プレート３が互いに引き寄せられ、両プレート２，３間に背板Ｄが挟持されて、両プレート２，３が背板Ｄに強固に取付けられる。
その後、図６に示すように、ガス栓１に設けられた貫通孔１２に別のねじ部材１３を挿通し、固定プレート３のねじ孔１０に螺合して、ガス栓１を固定プレート３に取付け、建屋の壁または床から延出しているフレキ管からなるガス管Ｅをガス栓１の入口部１ａに接続し、ガス栓１の出口部１ｂにガスコンロＢの強化ガスホースＦを接続して作業を完了するのである。
【００１７】
〔別実施形態〕
（１）先の実施形態では、ねじ孔５の周囲の突出部６をバックプレート２と一体的に構成した例を示したが、例えば、バックプレート２にねじ部材１１が貫通する孔を設け、その孔と同心状にナットを溶接し、ナットによりねじ孔５と突出部６を兼用するように構成することもできる。
【００１８】
（２）先の実施形態では、保持部材である可撓性の紐状体の例として針金４を示したが、針金に代えて普通の紐を使用することもでき、さらに、可撓性の紐状体以外にも、各種の治具や工具などを保持部材として使用し、バックプレート２を保持して施工することができる。
また、固定プレート２に保持孔９をひとつだけ設けた例を示したが、バックプレート２の保持孔７と同様に、保持孔９を２つ設けて実施することもできる。
【図面の簡単な説明】
【００１９】
【図１】台所家具にガス栓を取付けた状態を示す縦断側面図
【図２】ガス栓取付け工法の工程を示す斜視図
【図３】ガス栓取付け工法の工程を示す斜視図
【図４】ガス栓取付け工法の工程を示す斜視図
【図５】バックプレートと固定プレートを取付けた状態を示す縦断側面図
【図６】ガス栓取付け工法の工程を示す斜視図
【符号の説明】
【００２０】
１        ガス栓
２        バックプレート
３        固定プレート
４        保持部材としての可撓性の紐状体
５        バックプレートのねじ孔
６        ねじ孔周囲の突出部
７        バックプレートの保持孔
８        固定プレートの貫通孔
１０      固定プレートのガス栓用取付け部
１１      ねじ部材
Ａ        システムキッチンの台所家具
Ｂ        ガス器具
Ｃ        収納空間
Ｏ        スリット状の開口
【図１】
2008202914.tif 000003
【図２】
2008202914.tif 000004
【図３】
2008202914.tif 000005
【図４】
2008202914.tif 000006
【図５】
2008202914.tif 000007
【図６】
2008202914.tif 000008